(57)【要約】【課題】荷物の安全性を保証しつつ、荷物預かり場所の確保と警備負担の軽減の両面で利便性が増大した荷物預かりシステム及びＸ線検査装置を提供する。【解決手段】Ｘ線検査装置（１００）は、利用者の一次生体認証情報を取得する一次生体認証情報取得部（１２１Ｃ）と、荷物のＸ線検査情報を取得するＸ線検査情報取得部（１３３）と、一次生体認証情報とＸ線検査情報を送信する送信部（１５０）とを有している。ロッカー装置（２００）は、利用者の二次生体認証情報を取得する二次生体認証情報取得部（２５０）と、一次生体認証情報とＸ線検査情報を送信部（１５０）から受信する受信部（２６０）と、一次生体認証情報と二次生体認証情報とＸ線検査情報に基づいて、荷物を預かるか否かを決定する制御部（２７０）とを有している。【選択図】図５
2018184784.tif 000002
【特許請求の範囲】
【請求項１】
利用者の荷物を預かる荷物預かりシステムであって、
Ｘ線検査装置とロッカー装置を有し、
前記Ｘ線検査装置は、
前記利用者の一次生体認証情報を取得する一次生体認証情報取得部と、
前記荷物のＸ線検査情報を取得するＸ線検査情報取得部と、
前記一次生体認証情報と前記Ｘ線検査情報を送信する送信部と、
を有し、
前記ロッカー装置は、
前記利用者の二次生体認証情報を取得する二次生体認証情報取得部と、
前記一次生体認証情報と前記Ｘ線検査情報を前記送信部から受信する受信部と、
前記一次生体認証情報と前記二次生体認証情報と前記Ｘ線検査情報に基づいて、前記荷物を預かるか否かを決定する制御部と、
を有する、
ことを特徴とする荷物預かりシステム。
【請求項２】
前記制御部は、前記一次生体認証情報と前記二次生体認証情報が一致しており、且つ、前記Ｘ線検査情報が前記荷物の安全性を保証している場合に、前記荷物を預かることを決定し、それ以外の場合に、前記荷物を預からないことを決定する、
ことを特徴とする請求項１に記載の荷物預かりシステム。
【請求項３】
前記Ｘ線検査装置は、特定生体認証情報を予め保持する特定生体認証情報保持部と、前記一次生体認証情報が前記特定生体認証情報と一致している場合に警告を発する警告部とをさらに有する、
ことを特徴とする請求項１または請求項２に記載の荷物預かりシステム。
【請求項４】
前記二次生体認証情報取得部は、前記一次生体認証情報取得部が前記一次生体認証情報を取得してから所定時間以内に限って、前記二次生体認証情報を取得し、前記一次生体認証情報取得部が前記一次生体認証情報を取得してから所定時間を経過した後は、前記二次生体認証情報を取得しない、
ことを特徴とする請求項１から請求項３のいずれかに記載の荷物預かりシステム。
【請求項５】
前記一次生体認証情報と前記二次生体認証情報は、指紋情報、虹彩情報、顔情報、血管情報の少なくとも１つを含んでいる、
ことを特徴とする請求項１から請求項４のいずれかに記載の荷物預かりシステム。
【請求項６】
前記Ｘ線検査装置は、前記荷物を収容する収容ユニットと、前記荷物にＸ線を照射するＸ線照射ユニットと、前記荷物を透過したＸ線を受像するＸ線受像ユニットとを有し、前記収容ユニットと前記Ｘ線照射ユニットと前記Ｘ線受像ユニットが互いに着脱可能である、
ことを特徴とする請求項１から請求項５のいずれかに記載の荷物預かりシステム。
【請求項７】
利用者の荷物を預かる荷物預かりシステムにおいて、ロッカー装置と組み合わせて使用されるＸ線検査装置であって、
前記利用者の一次生体認証情報を取得する一次生体認証情報取得部と、
前記荷物のＸ線検査情報を取得するＸ線検査情報取得部と、
前記一次生体認証情報と前記Ｘ線検査情報を前記ロッカー装置の受信部に向けて送信する送信部と、
を有することを特徴とするＸ線検査装置。
【請求項８】
前記荷物を収容する収容ユニットと、前記荷物にＸ線を照射するＸ線照射ユニットと、前記荷物を透過したＸ線を受像するＸ線受像ユニットとを有し、前記収容ユニットと前記Ｘ線照射ユニットと前記Ｘ線受像ユニットが互いに着脱可能である、
ことを特徴とする請求項７に記載のＸ線検査装置。
【発明の詳細な説明】
【技術分野】
【０００１】
本発明は、荷物預かりシステム及びＸ線検査装置に関する。
【背景技術】
【０００２】
特許文献１には、利用者の指紋の情報によって利用者本人を認証して解錠を行うロッカー装置が開示されている。このロッカー装置は、指紋リーダと、タッチパネルと、識別情報登録部と、本人認証部と、読取成否判断部とを有している。指紋リーダは、利用者の指紋の情報を読取る。タッチパネルは、利用者による暗証番号の入力を受け付ける。識別情報登録部は、指紋の情報と暗証番号を予め登録する。本人認証部は、識別情報登録部が登録した指紋の情報と、当該登録後に指紋リーダが読取った指紋の情報とを照合することにより、利用者本人であることを認証する。読取成否判断部は、指紋リーダが指紋の情報を正しく読取ったか否かを判断する。識別情報登録部は、指紋リーダが指紋の情報を正しく読取っていないと読取成否判断部が判断した場合に限り、暗証番号の登録を可能とする。本人認証部は、識別情報登録部が暗証番号を予め登録した場合に限り、識別情報登録部が登録した暗証番号と、当該登録後に利用者が入力した暗証番号を照合することにより、利用者本人であることを認証する。
【０００３】
上記のようなロッカー装置は、駅構内、公共施設、商業施設などに設置されて、利用者の荷物を一時的に預かる機能を担っている。一方、大規模イベントや重要イベントの開催時、外国要人の来日時などには、テロ対策の徹底・強化を図るために、ロッカー装置を閉鎖して使用中止とする運用がなされることが多い。
【先行技術文献】
【特許文献】
【０００４】
【特許文献１】特開２０１０−１９６４３６号公報
【発明の概要】
【発明が解決しようとする課題】
【０００５】
しかしながら、例えば２０２０年の東京オリンピック・パラリンピックの開催を見据えたとき、大勢の来場者が見込まれるため、荷物預かり場所の確保が困難となり、且つ／又は、競技場やその周辺施設に荷物を持ち込む際の警備負担が増大するという問題がある。
【０００６】
本発明はかかる点に鑑みてなされたものであり、荷物の安全性を保証しつつ、荷物預かり場所の確保と警備負担の軽減の両面で利便性が増大した荷物預かりシステム及びＸ線検査装置を提供することを目的の１つとする。
【課題を解決するための手段】
【０００７】
本実施形態の荷物預かりシステムは、利用者の荷物を預かる荷物預かりシステムであって、Ｘ線検査装置とロッカー装置を有し、前記Ｘ線検査装置は、前記利用者の一次生体認証情報を取得する一次生体認証情報取得部と、前記荷物のＸ線検査情報を取得するＸ線検査情報取得部と、前記一次生体認証情報と前記Ｘ線検査情報を送信する送信部と、を有し、前記ロッカー装置は、前記利用者の二次生体認証情報を取得する二次生体認証情報取得部と、前記一次生体認証情報と前記Ｘ線検査情報を前記送信部から受信する受信部と、前記一次生体認証情報と前記二次生体認証情報と前記Ｘ線検査情報に基づいて、前記荷物を預かるか否かを決定する制御部と、を有する、ことを特徴としている。
【０００８】
本実施形態のＸ線検査装置は、利用者の荷物を預かる荷物預かりシステムにおいて、ロッカー装置と組み合わせて使用されるＸ線検査装置であって、前記利用者の一次生体認証情報を取得する一次生体認証情報取得部と、前記荷物のＸ線検査情報を取得するＸ線検査情報取得部と、前記一次生体認証情報と前記Ｘ線検査情報を前記ロッカー装置の受信部に向けて送信する送信部と、を有することを特徴としている。
【発明の効果】
【０００９】
本発明によれば、荷物の安全性を保証しつつ、荷物預かり場所の確保と警備負担の軽減の両面で利便性が増大した荷物預かりシステム及びＸ線検査装置を提供することができる。
【図面の簡単な説明】
【００１０】
【図１】Ｘ線検査装置の外観構成を示す斜視図である。
【図２】Ｘ線検査装置の内部構成を示す機能ブロック図である。
【図３】ロッカー装置の外観構成を示す正面図である。
【図４】ロッカー装置の内部構成を示す機能ブロック図である。
【図５】荷物預かりシステムの動作を示すフローチャートである。
【発明を実施するための形態】
【００１１】
図１〜図５を参照して、本実施形態の荷物預かりシステムについて説明する。荷物預かりシステムは、利用者の荷物を一時的に預かる機能を持つ。荷物預かりシステムは、Ｘ線検査装置１００とロッカー装置２００を有している。Ｘ線検査装置１００は可搬式であり、荷物預かりシステムの使用場所その他の任意の場所で組立と解体が可能である。これに対し、ロッカー装置２００は固定式であり、例えば、駅構内、公共施設、商業施設などに設置される。
【００１２】
ロッカー装置２００は、Ｘ線検査装置１００と協働しながら荷物預かりシステムとして機能する協働モードと、Ｘ線検査装置１００と協働することなく通常のロッカー装置として機能する通常モードとのいずれかで動作可能である。以下では、ロッカー装置２００が協働モードで動作する場合の構成及び動作について詳細に説明する。
【００１３】
図１は、Ｘ線検査装置１００の外観構成を示す斜視図である。以下の説明における上、下、前、後、左、右の各方向は、図１中に示す矢線方向を基準とする。
【００１４】
Ｘ線検査装置１００は、荷物を収容する収容ユニット１１０と、収容ユニット１１０に収容された荷物にＸ線を照射するＸ線照射ユニット１２０と、収容ユニット１１０に収容された荷物を透過したＸ線照射ユニット１２０からのＸ線を受像するＸ線受像ユニット１３０とを有している。収容ユニット１１０とＸ線照射ユニット１２０とＸ線受像ユニット１３０は、互いに着脱可能となっている。
【００１５】
収容ユニット１１０は、前方が開放され且つ左方と右方と後方が閉塞された側面視略台形の筐体部１１１と、この筐体部１１１の前方を閉塞する扉部１１２とを有している。筐体部１１１の前方上端部と扉部１１２の上端部は、ヒンジ部１１３を介して回動自在に結合されている。ヒンジ部１１３を介して扉部１１２を筐体部１１１から開くと、収容ユニット１１０に荷物を収容可能となり、ヒンジ部１１３を介して扉部１１２を筐体部１１１に閉じると、収容ユニット１１０に収容した荷物に対するＸ線検査が可能となる。なお、筐体部１１１の上方と下方は開放されていてもよいし、Ｘ線検査に影響を及ぼさない限りにおいて閉塞されていてもよい。また、筐体部１１１は、左壁と右壁と後壁を一体で形成していなくてもよく、左壁と右壁と後壁を別体で形成してこれらを連結していてもよい。
【００１６】
Ｘ線照射ユニット１２０は、Ｘ線発生棒１２１と、このＸ線発生棒１２１を収納する収納部１２２とを有している。Ｘ線発生棒１２１は、左右方向に延びる棒状部材からなり、左右方向の左側の大部分が大径のＸ線発生部１２１Ａとなっており、左右方向の右側の小部分が小径の把持部１２１Ｂとなっている。把持部１２１Ｂには、Ｘ線発生部１２１ＡによるＸ線の制御を実行するための入力操作部（図示略）が設けられている。また、把持部１２１Ｂには、利用者の指紋情報（一次生体認証情報）を取得する指紋リーダ（一次生体認証情報取得部）１２１Ｃが設けられている。
【００１７】
収納部１２２は、左端部が閉塞され且つ右端部が開放された左右方向に延びる有底筒状部材からなる。収納部１２２の内径はＸ線発生棒１２１のＸ線発生部１２１Ａの外径より僅かに大きく設定されており、Ｘ線発生棒１２１のＸ線発生部１２１Ａを収納部１２２の右端部から微小クリアランスで挿入することが可能である。
【００１８】
筐体部１１１の左方上端部と収納部１２２の左端部、及び、筐体部１１１の右方上端部と収納部１２２の右端部は、連結鉤部１２３によってそれぞれ連結されている（図１では前者の連結鉤部１２３のみを描いて後者の連結鉤部１２３を省略している）。これにより、収容ユニット１１０とＸ線照射ユニット１２０が一体化される。
【００１９】
Ｘ線受像ユニット１３０は、平面視略矩形をなす基台部１３１と、この基台部１３１の四隅の下面に設けられた支持脚部１３２とを有している。基台部１３１は、後方が開放されており、当該後方開放部からＦＰＤ（Flat  Panel  Detector）（Ｘ線検査情報取得部）１３３が挿入される。ＦＰＤ１３３は、荷物を透過したＸ線をデジタル信号に変換することにより荷物のＸ線検査情報（Ｘ線画像）を取得する。なお、基台部１３１の上方は開放されていてもよいし、Ｘ線検査に影響を及ぼさない限りにおいて閉塞されていてもよい。
【００２０】
筐体部１１１の左方下端部と基台部１３１の左端部、及び、筐体部１１１の右方下端部と基台部１３１の右端部は、連結鉤部１３４によってそれぞれ連結されている（図１では前者の連結鉤部１３４のみを描いて後者の連結鉤部１３４を省略している）。これにより、収容ユニット１１０とＸ線受像ユニット１３０が一体化される。
【００２１】
このようにして、連結鉤部１２３と連結鉤部１３４により収容ユニット１１０とＸ線照射ユニット１２０とＸ線受像ユニット１３０を一体化したＸ線検査装置１００が完成される。Ｘ線検査装置１００の完成状態では、扉部１１２を閉じている限り、Ｘ線発生棒１２１（Ｘ線発生部１２１Ａ）が発生したＸ線がＸ線検査装置１００の外部に漏れることはない。別言すると、Ｘ線検査装置１００による荷物のＸ線検査を行う際は、必ず、扉部１１２が閉じた状態でロックされる。また、Ｘ線照射ユニット１２０の収納部１２２には取手部１２４が設けられており、この取手部１２４を掴むことで、Ｘ線検査装置１００を自由に持ち運ぶことが可能である。
【００２２】
図２は、Ｘ線検査装置１００の内部構成を示す機能ブロック図である。Ｘ線検査装置１００は、指紋リーダ（一次生体認証情報取得部）１２１Ｃと、ＦＰＤ（Ｘ線検査情報取得部）１３３と、情報記憶部１４０と、無線送信部（送信部）１５０と、特定指紋保持部（特定生体認証情報保持部）１６０と、警告部１７０とを有している。
【００２３】
上述したように、指紋リーダ１２１Ｃは、利用者の指紋情報（一次生体認証情報）を取得する。指紋リーダ１２１Ｃが取得する利用者の指紋情報には、当該指紋情報の取得時刻が紐付けられる。
【００２４】
上述したように、ＦＰＤ１３３は、荷物のＸ線検査情報を取得する。ＦＰＤ１３３が取得するＸ線検査情報には、荷物の安全性を保証しているか否かの判定情報が含まれる。つまり、Ｘ線画像を走査して不審物や危険物（例えばナイフや爆弾など）が発見されない場合は、Ｘ線検査情報に荷物の安全性を保証する旨の情報が組み込まれる。逆に、Ｘ線画像を走査して不審物や危険物（例えばナイフや爆弾など）が発見された場合は、Ｘ線検査情報に荷物の安全性を保証しない旨の情報が組み込まれる。
【００２５】
情報記憶部１４０は、指紋リーダ１２１Ｃが取得した利用者の指紋情報とＦＰＤ１３３が取得したＸ線検査情報とを対応付けて記憶する。すなわち、情報記憶部１４０の記憶情報を解析すれば、利用者と荷物が一対一の関係で対応付けられているので、ある荷物の持ち主を追跡する必要が生じた場合に即座にそれを実行することができる。
【００２６】
無線送信部１５０は、情報記憶部１４０が記憶した利用者の指紋情報（取得時刻を含む）と荷物のＸ線検査情報（一対一の関係で対応付けられている）を後述するロッカー装置２００の無線受信部２６０に無線送信する。
【００２７】
特定指紋保持部１６０は、特定指紋（特定生体認証情報）を予め保持している。特定指紋保持部１６０が保持する特定指紋は、例えば指名手配犯などの指紋情報であり、荷物の中身の如何にかかわらず周囲の警察官に警告（注意喚起）を発する必要のあるものである。
【００２８】
警告部１７０は、ＦＰＤ１３３が取得したＸ線検査情報（情報記憶部１４０が記憶したＸ線検査情報）が荷物の安全性を保証していない場合（不審物や危険物が含まれているおそれがある場合）、アラーム音などによる警告を発する。これにより、荷物の中身を全部出しての再検査などが促される。
【００２９】
警告部１７０は、指紋リーダ１２１Ｃが取得した利用者の指紋情報（情報記憶部１４０が記憶した指紋情報）が、特定指紋保持部１６０が保持する特定指紋と一致している場合、周囲の警察官に警告（注意喚起）を発する。この警告はアラーム音などの利用者に気付かれるおそれがあるものではなく、静的な手法（例えば周囲の警察官にメールを自動配信する）とすることが好ましい。警告を受けた周囲の警察官は、利用者への職務質問といった適切な措置をとることが可能になる。
【００３０】
図３は、ロッカー装置２００の外観構成を示す正面図である。ロッカー装置２００は、筐体部２１０を有しており、筐体部２１０の下方は、電源部（図示略）等が内蔵される機器設置部２２０となっている。筐体部２１０の上方は、縦５列×横５列のマトリックス状に区画されており、中央部を除いた２４個の区画にそれぞれロッカー部２３０が設けられており、中央部の区画にタッチパネル部２４０と指紋リーダ（二次生体認証情報取得部）２５０が設けられている。
【００３１】
ロッカー部２３０は、扉２３１を有するボックスと、扉２３１の施錠に用いられる電気錠とを有している。利用者は、扉２３１を開けてボックス内の棚板に荷物を収納して、電気錠の操作により扉２３１を施錠することで、荷物をロッカー部２３０に預けることができる。扉２３１には、当該扉２３１を開ける際に手を掛ける取手２３２と、ロッカー部２３０の番号が印字されたナンバーシール２３３と、ロッカー部２３０が使用中であるか否かを表示する表示ランプ２３４とが設けられている。
【００３２】
図４は、ロッカー装置２００の内部構成を示す機能ブロック図である。ロッカー装置２００は、指紋リーダ（二次生体認証情報取得部）２５０と、無線受信部（受信部）２６０と、制御部２７０とを有している。
【００３３】
指紋リーダ２５０は、利用者の指紋情報（二次生体認証情報）を取得することができる。指紋リーダ２５０は、Ｘ線検査装置１００の指紋リーダ１２１Ｃが利用者の指紋情報を取得してから所定時間（例えば１分）以内に限って、利用者の指紋情報を取得することができる。指紋リーダ２５０は、Ｘ線検査装置１００の指紋リーダ１２１Ｃが利用者の指紋情報を取得してから所定時間（例えば１分）を経過した後は、利用者の指紋情報を取得することができない。
【００３４】
無線受信部（受信部）２６０は、Ｘ線検査装置１００の無線送信部１５０から無線送信された利用者の指紋情報（一次生体認証情報）と荷物のＸ線検査情報を無線受信する。無線受信部２６０が無線受信する利用者の指紋情報は、Ｘ線検査装置１００の指紋リーダ１２１Ｃが取得したものであり、無線受信部２６０が無線受信する荷物のＸ線検査情報は、Ｘ線検査装置１００のＦＰＤ１３３が取得したものである。
【００３５】
制御部２７０は、指紋リーダ１２１Ｃが取得した利用者の指紋情報（一次生体認証情報）、指紋リーダ２５０が取得した利用者の指紋情報（二次生体認証情報）、及び、ＦＰＤ１３３が取得した荷物のＸ線検査情報に基づいて、荷物を預かるか否かを決定する。
【００３６】
制御部２７０は、指紋リーダ１２１Ｃが取得した利用者の指紋情報（一次生体認証情報）と指紋リーダ２５０が取得した利用者の指紋情報（二次生体認証情報）が一致しており、且つ、ＦＰＤ１３３が取得した荷物のＸ線検査情報が当該荷物の安全性を保証している場合に、荷物を預かることを決定する。一方、制御部２７０は、指紋リーダ１２１Ｃが取得した利用者の指紋情報（一次生体認証情報）と指紋リーダ２５０が取得した利用者の指紋情報（二次生体認証情報）が一致しておらず、且つ／又は、ＦＰＤ１３３が取得した荷物のＸ線検査情報が当該荷物の安全性を保証していない場合に、荷物を預からないことを決定する。
【００３７】
図５は、荷物預かりシステムの動作を示すフローチャートである。フローチャート開始前に、固定式のロッカー装置２００の近傍に可搬式のＸ線検査装置１００を設置する。Ｘ線検査装置１００の設置場所までは、Ｘ線検査装置１００の収容ユニット１１０とＸ線照射ユニット１２０とＸ線受像ユニット１３０を解体した状態で搬送し、Ｘ線検査装置１００の設置場所にて、収容ユニット１１０とＸ線照射ユニット１２０とＸ線受像ユニット１３０を組み立ててＸ線検査装置１００を完成させることができる。
【００３８】
ステップＳＴ１では、利用者がＸ線検査装置１００の指紋リーダ１２１Ｃに指を乗せて、当該指紋リーダ１２１Ｃが利用者の指紋情報（一次生体認証情報）を取得する。指紋リーダ１２１Ｃが取得した利用者の指紋情報には、当該指紋情報の取得時刻が紐付けられている。指紋リーダ１２１Ｃが取得した利用者の指紋情報とその取得時刻は、情報記憶部１４０に記憶された後、無線送信部１５０によりロッカー装置２００の無線受信部２６０に伝送される。
【００３９】
ステップＳＴ２では、指紋リーダ１２１Ｃが取得した利用者の指紋情報が、特定指紋保持部１６０が保持する特定指紋と一致しているか否かが判定される。一致していると判定された場合（ステップＳＴ２：ＹＥＳ）、ステップＳＴ３に進んで、例えば周囲の警察官にメールを自動配信する等の手法により警告（注意喚起）が発せられる。一致していないと判定された場合（ステップＳＴ２：ＮＯ）、ステップＳＴ４に進む。
【００４０】
ステップＳＴ４では、Ｘ線検査装置１００の収容ユニット１１０に荷物を収容した上で、例えばＰＣなどのＸ線照射指示部（図示略）を遠隔操作することで、検査対象物である荷物のＸ線検査が実行される。すなわち、Ｘ線照射ユニット１２０（Ｘ線発生棒１２１）が発生したＸ線が荷物を透過してＸ線受像ユニット１３０（ＦＰＤ１３３）で受像されることで、荷物のＸ線検査情報（Ｘ線画像）が取得される。Ｘ線受像ユニット１３０（ＦＰＤ１３３）が取得した荷物のＸ線検査情報（Ｘ線画像）は、情報記憶部１４０に記憶された後、無線送信部１５０によりロッカー装置２００の無線受信部２６０に伝送される。
【００４１】
ステップＳＴ５では、ＦＰＤ１３３が取得したＸ線検査情報が荷物の安全性を保証しているか否か（不審物や危険物が含まれているおそれがあるか否か）が判定される。Ｘ線検査情報が荷物の安全性を保証していないと判定された場合（ステップＳＴ５：ＮＯ）、ステップＳＴ６に進んで、アラーム音などによる警告が発せられる。Ｘ線検査情報が荷物の安全性を保証していると判定された場合（ステップＳＴ５：ＹＥＳ）、ステップＳＴ７に進む。
【００４２】
ステップＳＴ７では、利用者が荷物を持ってロッカー装置２００の前に移動し、ロッカー装置２００のタッチパネル部２４０を操作することで、複数（図３では２４個）のロッカー部２３０の中からどのロッカー部２３０を使用するかを選択する。例えば、タッチパネル部２４０を操作して、表示ランプ２３４が消えていて使用中でないロッカー部２３０のロッカー番号（ナンバーシール２３３に記載されている）を入力することで、使用するロッカー部２３０を選択することができる。
【００４３】
ステップＳＴ８では、利用者がロッカー装置２００の指紋リーダ２５０に指を乗せる。
【００４４】
ステップＳＴ９では、Ｘ線検査装置１００の指紋リーダ１２１Ｃが利用者の指紋情報を取得してから所定時間以内であるか否かが判定される。指紋リーダ１２１Ｃが利用者の指紋情報を取得してから所定時間以内である場合（ステップＳＴ９：ＹＥＳ）、ステップＳＴ１０に進んで、指紋リーダ２５０が利用者の指紋情報（二次生体認証情報）を取得する。指紋リーダ１２１Ｃが利用者の指紋情報を取得してから所定時間が経過している場合（ステップＳＴ９：ＮＯ）、指紋リーダ２５０が利用者の指紋情報（二次生体認証情報）を取得することなく、ステップＳＴ１に戻る。
【００４５】
ステップＳＴ１１では、制御部２７０が、指紋リーダ１２１Ｃが取得した利用者の指紋情報（一次生体認証情報）と指紋リーダ２５０が取得した利用者の指紋情報（二次生体認証情報）が一致しており、且つ、ＦＰＤ１３３が取得した荷物のＸ線検査情報が当該荷物の安全性を保証しているか否かを判定する。
【００４６】
指紋リーダ１２１Ｃが取得した利用者の指紋情報（一次生体認証情報）と指紋リーダ２５０が取得した利用者の指紋情報（二次生体認証情報）が一致しており、且つ、ＦＰＤ１３３が取得した荷物のＸ線検査情報が当該荷物の安全性を保証している場合（ステップＳＴ１１：ＹＥＳ）、ステップＳＴ１２に進んで、制御部２７０が利用者の荷物を預かることを決定する。
【００４７】
指紋リーダ１２１Ｃが取得した利用者の指紋情報（一次生体認証情報）と指紋リーダ２５０が取得した利用者の指紋情報（二次生体認証情報）が一致しておらず、且つ／又は、ＦＰＤ１３３が取得した荷物のＸ線検査情報が当該荷物の安全性を保証していない場合（ステップＳＴ１１：ＮＯ）、ステップＳＴ１３に進んで、制御部２７０が利用者の荷物を預からないことを決定する。
【００４８】
このように、本実施形態の荷物預かりシステムによれば、指紋リーダ１２１Ｃが取得した利用者の指紋情報（一次生体認証情報）と指紋リーダ２５０が取得した利用者の指紋情報（二次生体認証情報）が一致しており、且つ、ＦＰＤ１３３が取得した荷物のＸ線検査情報が当該荷物の安全性を保証している場合に、制御部２７０が利用者の荷物を預かることを決定するので、荷物の安全性を保証しつつ、荷物預かり場所の確保と警備負担の軽減の両面で利便性が増大を図ることができる。
【００４９】
すなわち、ロッカー装置２００に荷物を預ける前段階として、Ｘ線検査装置１００による荷物のＸ線検査を必須としたことで、不審物や危険物がロッカー装置２００に預けられるのを防止することができる。Ｘ線検査が課されることを認識してロッカー装置２００に不審物や危険物を預けようとする者はまずいないし、仮にそのような者がいても、Ｘ線検査装置１００が不審物や危険物を検出して荷物の安全性を保証しないので、当該荷物がロッカー装置２００に預けられることはない。
【００５０】
また、現状では、大規模イベントや重要イベントの開催時、外国要人の来日時などには、テロ対策の徹底・強化を図るために、ロッカー装置２００を閉鎖して使用中止とする運用がなされることが多いが、Ｘ線検査装置１００と組み合わせることにより、既存のロッカー装置２００に大きな改変を加えることなくこれを使用することができる。このため、イベント会場に持ち込まれる荷物を削減して、検査時間の短縮と来場者の迅速な入場が促進される。さらに、例えば２０２０年の東京オリンピック・パラリンピックでは、多くの外国人来場者に対して安心・安全な荷物預かり場所を明確化して提示することが可能になる。
【００５１】
また、例えば２０２０年の東京オリンピック・パラリンピックで本実施形態の荷物預かりシステムを実施する場合、Ｘ線検査装置１００を大量生産することになるが、イベント終了後には、Ｘ線検査装置１００を解体して、収容ユニット１１０とＸ線照射ユニット１２０とＸ線受像ユニット１３０をそれぞれ別々の装置に組み込んで使用することができる（レガシー効果）。
【００５２】
なお、本発明は上記実施の形態に限定されず、種々変更して実施することが可能である。上記実施の形態において、添付図面に図示されている構成要素の大きさや形状、機能などについては、これに限定されず、本発明の効果を発揮する範囲内で適宜変更することが可能である。その他、本発明の目的の範囲を逸脱しない限りにおいて適宜変更して実施することが可能である。
【００５３】
例えば、上記実施の形態では、一次生体認証情報、二次生体認証情報、特定生体認証情報として、指紋情報を利用する場合を例示して説明したが、指紋情報に代えて／加えて、虹彩情報、顔情報、血管情報の少なくとも１つを利用することも可能である。すなわち、一次生体認証情報、二次生体認証情報、特定生体認証情報は、利用者個人を特定できるものであれば、あらゆる情報を利用することができる。
【００５４】
例えば、上記実施の形態では、Ｘ線検査装置１００の無線送信部１５０とロッカー装置２００の無線受信部２６０が無線通信により情報を伝送する場合を例示して説明したが、情報伝送方式は無線通信に限定されず、有線通信であってもよい。
【産業上の利用可能性】
【００５５】
本発明の荷物預かりシステム及びＸ線検査装置は、大規模イベントや重要イベントの開催時、外国要人の来日時などに適用して好適である。
【符号の説明】
【００５６】
１００  Ｘ線検査装置
１１０  収容ユニット
１１１  筐体部
１１２  扉部
１１３  ヒンジ部
１２０  Ｘ線照射ユニット
１２１  Ｘ線発生棒
１２１Ａ  Ｘ線発生部
１２１Ｂ  把持部
１２１Ｃ  指紋リーダ（一次生体認証情報取得部）
１２２  収納部
１２３  連結鉤部
１２４  取手部
１３０  Ｘ線受像ユニット
１３１  基台部
１３２  支持脚部
１３３  ＦＰＤ（Flat  Panel  Detector）（Ｘ線検査情報取得部）
１３４  連結鉤部
１４０  情報記憶部
１５０  無線送信部（送信部）
１６０  特定指紋保持部（特定生体認証情報保持部）
１７０  警告部
２００  ロッカー装置
２１０  筐体部
２２０  機器設置部
２３０  ロッカー部
２３１  扉
２３２  取手
２３３  ナンバーシール
２３４  表示ランプ
２４０  タッチパネル部
２５０  指紋リーダ（二次生体認証情報取得部）
２６０  無線受信部（受信部）
２７０  制御部
【図１】
2018184784.tif 000003
【図２】
2018184784.tif 000004
【図３】
2018184784.tif 000005
【図４】
2018184784.tif 000006
【図５】
2018184784.tif 000007